(57)【要約】【課題】ディスク挿入時のドアの回転角度が大きく、ドアによる検知部材の操作が確実に行えるディスク装置を提供すること。【解決手段】本発明のディスク装置は、ディスクＤの挿入時、ドア４は、前方（挿入口２ｂ方向）に突出する曲げ部４ｅの存在によって、ディスクＤの挿入量（移動量）に対する回転角度が大きくなって、検知部材６の操作角度（ストローク）を十分に確保できて、検知部材６の操作を確実に行うことができるという効果がある。【選択図】図１
2007164834.tif 000002
【特許請求の範囲】
【請求項１】
ディスクの記録および／または再生を行うディスク装置において、
前記ディスクを挿入および排出するための挿入口が設けられた枠体と、
前記挿入口に対向した状態で前記枠体内に回転可能に配設されたドアと、
前記挿入口から前記ディスクが挿入されたことを検知し、前記ドアによって操作される検知部材とを備え、
前記ドアは、前記ディスクの移動によって、回転支持部を支点として回転するドア部を有し、このドア部は、前記回転支持部の位置よりも前記挿入口方向に突出した状態で自由端側に設けられた曲げ部を有したことを特徴とするディスク装置。
【請求項２】
請求項１の記載において
前記ドアを付勢して、前記ドアを閉状態に維持するための付勢部材を有し、前記挿入口から挿入された前記ディスクによって前記ドア部が後方側に回転して開状態になった後、前記ドア部が前記付勢部材によって閉状態に戻ると共に、排出の途上にある前記ディスクによって前記ドア部が前方側に回転して開状態になった後、前記ドア部が前記付勢部材によって閉状態に戻るようにしたことを特徴とするディスク装置。
【請求項３】
請求項１、又は２の記載において、
前記検知部材は、接点の切り換えを行わせるための可動体を有し、この可動体が前記ドア部の回転に連動して操作され、前記検知部材によって電気的な検知を行って前記ディスクの前記枠体内への搬入を可能としたことを特徴とするディスク装置。
【請求項４】
請求項１から３の何れか１項の記載において、
前記ドア部は板状をなし、前記回転支持部側から延びる平板状部と、この平板状部の端部から曲げられて円弧状、或いは直線状に延びる前記曲げ部を有し、前記平板状部と前記曲げ部が前記挿入口の上下方向に配置されたことを特徴とするディスク装置。
【請求項５】
請求項４の記載において、
前記ディスクの挿入時における前記ディスクの先端部は、前記曲げ部によってガイドされて、前記曲げ部の先端部側に移行するようにしたことを特徴とするディスク装置。
【請求項６】
請求項４、又は５の記載において、
前記曲げ部の自由端の先端部には丸み部が設けられ、前記丸み部が前記ディスクの面に摺接するようにしたことを特徴とするディスク装置。
【請求項７】
請求項４から６の何れか１項の記載において、
前記曲げ部の自由端の先端部には、長手方向に間隔を置いて配置された凸部が少なくもと１つ以上設けられ、前記凸部が前記ディスクの面に摺接するようにしたことを特徴とするディスク装置。
【請求項８】
請求項４から７の何れか１項の記載において、
前記曲げ部の裏面には、前記挿入口の長手方向に間隔を置いて配置された頂部に丸みを持たせた凸条部が少なくとも１つ以上設けられ、前記凸条部が前記ディスクの排出時に前記ディスクの面に摺接するようにしたことを特徴とするディスク装置。
【請求項９】
請求項４から８の何れか１項の記載において、
前記曲げ部の裏面には、後方に突出した丸みのある段差部を有し、前記曲げ部の先端部と前記段差部が前記ディスクの排出時に前記ディスクの面に摺接するようにしたことを特徴とするディスク装置。
【請求項１０】
請求項１から９の何れか１項の記載において、
前記ドア部は、前記挿入口の長手方向の少なくとも中央部に位置して配設されたことを特徴とするディスク装置。
【請求項１１】
請求項１から１０の何れか１項の記載において、
前記検知部材は、自動車のバッテリーに電気的に接続され、キーが挿されていない状態で、前記挿入口からの前記ディスクの挿入時、前記ディスクの挿入が前記検知部材によって検知されて、前記ディスクの前記枠体内への搬入を可能としたことを特徴とするディスク装置。
【発明の詳細な説明】
【技術分野】
【０００１】
本発明は、車載用音響機器等に使用され、ディスク挿入時のドアの回転角度が大きく、ドアによる検知部材の操作が確実に行えるディスク装置に関するものである。
【背景技術】
【０００２】
近年、車載用音響機器に使用されるディスク装置は、キーが挿されていない状態、及びＡＣＣ時において、ＣＤ（コンパクトディスク）やＤＶＤ（デジタルバーサタイルディスク）等、或いはミニディスクからなるディスクが不用意に挿入された場合、ディスクの損傷を防ぐために、ディスクをディスク装置内に挿入可能にすることが要求されている。
【０００３】
この要求のために、ディスクの挿入を検知するためのＬＥＤ等からなるフォトセンサによって、ディスクの挿入を検知し、これによってディスク装置のローディング機構を起動して、ディスクの挿入を可能にしているが、この場合、フォトセンサを作動させるためには、ＡＣＣ時やキーが挿されていない状態であるにもかかわらず、６０ｍＡ程度の電流を流し、常に待機して置く必要が生じ、このため、バッテリーの電気消費が多くなって、バッテリーの消耗が早まり、バッテリーの寿命が短くなるという問題がある。
【０００４】
そこで、常時電力を消費するフォトセンサに代えて、挿入口にディスクの挿入によって回転するドア部材と、このドア部材の回転に伴ってＯＮ／ＯＦＦする接点付きの小型のスイッチからなる検知部材とで構成し、ディスクが挿入されたことをドア部材を介して検知部材によって検知して、ディスク装置のローディング機構を起動する構成によって、待機電流による電力消費の無いものが得られる。
【０００５】
そして、接点付きのスイッチを使用し、このスイッチをドアに関連付けた従来のディスク装置としては、ＭＤ（ミニディスク）が箱形のケースに内蔵された構成のＭＤ装置を使用したものがある。
【０００６】
この従来のディスク装置は、ＭＤ装置の挿入および排出を行う挿入口が形成されたパネルと、このパネル内に回転可能に配設されたストレートな平板状のドアと、挿入口から挿入されたＭＤ装置によってドアの回転を介して操作されるスイッチとを備えている。
【０００７】
そして、従来のディスク装置は、ＭＤ装置が挿入されたことをドアの回転を介して検知部材によって検知して、ディスク装置のローディング機構を駆動して、所定の位置に待機するようになっている（例えば、特許文献１参照）。
【０００８】
しかし、ドアに検知部材を関連付けたこの従来のディスク装置は、自動車のエンジンが稼働中の電源がＯＮの時やＡＣＣ時で、且つ、ディスク装置である音響機器の電源がＯＮ状態にある時に、ＭＤ装置が挿入されたことをドアの回転を介して検知部材によって検知し、ローディング機構を駆動して、所定の位置に待機させて、ＭＤ装置が駆動装置内に挿入できるようにしたものである。
【０００９】
そして、従来のディスク装置は、自動車のエンジンが稼働中の電源がＯＮの時やＡＣＣ時であっても、音響機器の電源がＯＦＦ状態は勿論のこと、キーが挿されていない状態においても、ＭＤ装置の挿入によってドアが回転しても検知部材は何ら働かず、ＭＤ装置が駆動装置内に挿入できないようになっている。
【特許文献１】特開２００２−２０８２６７号公報（第４−第７頁、図１ー図７）
【発明の開示】
【発明が解決しようとする課題】
【００１０】
このドア部材を使用しての検知は、ミニディスクに限らずＣＤにも適用が可能である。しかし、ＣＤはミニディスクよりも薄厚であることから、ＭＤ装置のドア構成をそのまま適用すると、従来には無い問題が発生する。ＣＤのような薄厚のディスクの場合、挿入の容易さを確保するためには、ディスク挿入口の上下幅をあまり狭くせず、ディスクの厚みよりも遙かに広幅に開口する必要がある。
【００１１】
そのため、ディスクがディスク挿入口の上方側に寄って挿入された場合には、ドア部材の回転中心近傍が押されることで、ディスクの挿入量（移動量）に対するドア部材の回転角度が大きい反面、ディスク挿入口の下方側に寄って挿入された場合には、ドア部材がストレートな平板状に形成されていることから、そのドア部材の自由端側が僅かに押され、ドア部材が殆ど回転しないまま挿入されてしまう。そのため、ドア部材の自由端側が押された場合には、検知部材の押し込み量不足からスイッチが作動せず、検知不良を起こすことがあった。
【００１２】
更に、従来のディスク装置が自動車に使用された場合、自動車の電源がＯＮ時やＡＣＣ時で、音響機器の電源がＯＦＦ状態、及びキーが挿されていない状態においては、ＣＤの挿入位置によっては、ドア部材が所定の角度分回転せず検知部材が働かないことがあった。そのためＣＤが駆動装置内に挿入できず、ＣＤに損傷が生ずる。
【００１３】
本発明は、このような従来技術の実情に鑑みてなされたもので、その目的は、ディスク挿入時のドアの回転角度が大きく、ドアによる検知部材の操作が確実に行えるディスク装置を提供することにある。
【課題を解決するための手段】
【００１４】
本発明は、挿入口に対向した状態で枠体内に回転可能に配設されたドアと、挿入口からディスクが挿入されたことを検知し、ドアによって操作される検知部材とを備え、ドアは、ディスクの移動によって、回転支持部を支点として回転するドア部を有し、このドア部は、回転支持部の位置よりも挿入口方向に突出した状態で自由端側に設けられた曲げ部を有したこととした。
【発明の効果】
【００１５】
本発明のディスク装置において、ディスクの挿入時、ドアは、前方（挿入口方向）に突出する曲げ部の存在によって、ディスクの挿入量（移動量）に対する回転角度が大きくなって、検知部材の操作角度（ストローク）を十分に確保できて、検知部材の操作を確実に行うことができるという効果がある。
【発明を実施するための最良の形態】
【００１６】
本発明のディスク装置では、ディスクの記録および／または再生を行うディスク装置において、ディスクを挿入および排出するための挿入口が設けられた枠体と、挿入口に対向した状態で枠体内に回転可能に配設されたドアと、挿入口からディスクが挿入されたことを検知し、ドアによって操作される検知部材とを備え、ドアは、ディスクの移動によって、回転支持部を支点として回転するドア部を有し、このドア部は、回転支持部の位置よりも挿入口方向に突出した状態で自由端側に設けられた曲げ部を有した構成とした。
【００１７】
このような構成によれば、ディスクの挿入時、ドアは、前方（挿入口方向）に突出する曲げ部の存在によって、ディスクの挿入量（移動量）に対する回転角度が大きくなって、検知部材の操作角度を十分に確保できて、検知部材の操作を確実に行うことがでる。
【００１８】
また、ディスクによって曲げ部の自由端近傍が押されても、ディスクの移動量に対する曲げ部の回転角度を大きくできて、検知部材の検知不良のないものが得られる。即ち、ディスクによるドアの自由端近傍の回転角度は、ドアの回転支持部近傍の回転角度との間に差が少なく、自由端近傍と回転支持部近傍の双方において、検知部材の操作を確実に行うことができるものである。
【００１９】
更に、ドアの自由端近傍の回転変位は、回転支持部近傍と同様に大きくなって、検知部材の操作（接点の切り換え）を早くでき、従って、駆動装置のローディング機構を早く起動して、所定の位置に早く待機状態にすることができ、ディスクの損傷の無いものが得られる。
【００２０】
また、上記構成において、ドアを付勢して、ドアを閉状態に維持するための付勢部材を有し、挿入口から挿入されたディスクによってドア部が後方側に回転して開状態になった後、ドア部が付勢部材によって閉状態に戻ると共に、排出の途上にあるディスクによってドア部が前方側に回転して開状態になった後、ドア部が付勢部材によって閉状態に戻るようにした構成とすることができる。このような構成によれば、付勢部材が閉状態のドア部を抑えて、ドア部のガタツキを無くすることができると共に、ドア部の閉状態の位置が安定して、ドア部による検知部材の操作の確実なものが得られる。
【００２１】
また、上記構成において、検知部材は、接点の切り換えを行わせるための可動体を有し、この可動体がドア部の回転に連動して操作され、検知部材によって電気的な検知を行ってディスクの枠体内への搬入を可能とした構成とすることができる。このような構成によれば、検知部材として、フォトセンサに比して安価なものが適用できると共に、自動車に使用された場合、待機電流を不要とし、バッテリーの消耗を抑制することが可能となる。
【００２２】
また、上記構成において、ドア部は板状をなし、回転支持部側から延びる平板状部と、この平板状部の端部から曲げられて円弧状、或いは直線状に延びる曲げ部を有し、平板状部と曲げ部が挿入口の上下方向に配置された構成とすることができる。このような構成によれば、樹脂にて成形する場合には、その金型構造が簡易となり、その構成が簡単で製造性が良好になると共に、ドア部の回転時における平板状部側と曲げ部側の移動量の差が小さくなって、平板状部側と曲げ部側が大きな角度に変位でき、従って、検知部材を操作するためのストロークが大きくできて、検知部材の操作の確実なものが得られる。
【００２３】
また、上記構成において、ディスクの挿入時におけるディスクの先端部は、曲げ部によってガイドされて、曲げ部の先端部側に移行するようにした構成とすることができる。このような構成によれば、ディスクの端部が曲げ部にガイドされ、且つ、支持されて、ディスクの端部位置が安定し、爾後におけるディスクの搬入を確実、容易にできる。
【００２４】
また、上記構成において、曲げ部の自由端の先端部には丸み部が設けられ、丸み部がディスクの面に摺接するようにした構成とすることができる。このような構成によれば、曲げ部とディスクとの間の滑りが良くなって、ドア部によるディスクの面（レーベル面）の損傷を防止できる。
【００２５】
また、上記構成において、曲げ部の自由端の先端部には、長手方向に間隔を置いて配置された凸部が少なくとも１つ以上設けられ、凸部がディスクの面に摺接するようにした構成とすることができる。このような構成によれば、曲げ部の先端部がディスクに部分的に摺接して、その摺接面と摺動摩擦が小さく、ドア部によるディスクの面（レーベル面）の損傷を防止できる。
【００２６】
また、上記構成において、曲げ部の裏面には、挿入口の長手方向に間隔を置いて配置された頂部に丸みを持たせた凸条部が少なくとも１つ以上設けられ、凸条部がディスクの排出時にディスクの面に摺接するようにした構成とすることができる。このような構成によれば、曲げ部の凸条部がディスクに部分的に摺接して、その摺接面と摺動摩擦が小さく、ドア部によるディスクの面（レーベル面）の損傷を防止できる。
【００２７】
また、上記構成において、曲げ部の裏面には、後方に突出した丸みのある段差部を有し、曲げ部の先端部と段差部がディスクの排出時にディスクの面に摺接するようにした構成とすることができる。このような構成によれば、ドア部によるディスクの面（レーベル面）の損傷を防止できる。
【００２８】
また、上記構成において、ドア部は、挿入口の長手方向の少なくとも中央部に位置して配設された構成とすることができる。このような構成によれば、ドア部を小さくできて、材料費の安価なものが得られると共に、挿入、及び排出されるディスクの最先端部をドア部に確実に当接できるものが得られる。
【００２９】
また、上記構成において、検知部材は、自動車のバッテリーに電気的に接続され、キーが挿されていない状態で、挿入口からのディスクの挿入時、ディスクの挿入が検知部材によって検知されて、ディスクの枠体内への搬入を可能とした構成とすることができる。このような構成によれば、キーが挿されていない状態における待機電流を不要とし、バッテリーの消耗を抑制することが可能となる。
【実施例】
【００３０】
実施例について図面を参照して説明すると、図１は本発明のディスク装置の第１実施例に係る要部の断面図、図２は本発明のディスク装置の第１実施例に係り、ガイド部材にドアを組み合わせた状態を示す裏面から見た斜視図、図３は本発明のディスク装置の第１実施例に係り、ガイド部材とドアを分解した状態を示す分解斜視図、図４は本発明のディスク装置の第１実施例に係り、ガイド部材にドアを取り付けた状態を示す要部の断面図である。
【００３１】
また、図５は本発明のディスク装置の第１実施例に係り、ディスクの挿入動作を示す説明図、図６は本発明のディスク装置の第１実施例に係り、ディスクの挿入動作時のドアの動きを示す説明図、図７は本発明のディスク装置の第１実施例に係り、ドアの動きを軌跡で示す説明図、図８は本発明のディスク装置の第１実施例に係り、ディスクの排出動作を示す説明図である。
【００３２】
また、図９は本発明のディスク装置の第２実施例に係る要部の断面図、図１０は本発明のディスク装置の第３実施例に係るドア部の要部の側面図、図１１は本発明のディスク装置の第３実施例に係り、ドアの製造方法を示す説明図、図１２は本発明のディスク装置の第３実施例に係り、ディスクの排出動作を示す説明図である。
【００３３】
また、図１３は本発明のディスク装置の第４実施例に係るドアの正面図、図４は本発明のディスク装置の第５実施例に係るドアの正面図、図１５は本発明のディスク装置の第６実施例に係るドア部の要部断面図である。
【００３４】
本発明のディスク装置は、枠体１と、この枠体１の一部を形成するノーズ部材２と、ドア４を回転可能に保持したガイド部材３と、ドア４によって操作される検知部材６と、ディスクＤを駆動する駆動装置Ｋとで主部材が形成されており、この駆動装置Ｋには、ＣＤ（コンパクトディスク）やＤＶＤ（デジタルバーサタイルディスク）等、或いはミニディスクからなるディスクＤが使用される。
【００３５】
次に、本発明のディスク装置の第１実施例に係る構成を図１〜図８に基づいて説明すると、箱形の枠体１は、枠体１の一部を形成し、合成樹脂の成型品からなるノーズ部材２を有する。
【００３６】
このノーズ部材２は、平板状の前面板２ａと、ディスクＤの挿入および排出が可能となるような長孔が前面板２ａに設けられ、ディスクＤの挿入を容易にするために長孔の長手方向の辺に沿って円弧状に厚み方向（短手方向）が大きく開けられた挿入口２ｂと、この挿入口２ｂの辺に沿って枠体１内（奥方向）に延び、挿入口２ｂの厚み方向の開口が漸次小さくなるような傾斜面を有した筒状のガイド壁２ｃを有している。
【００３７】
図１〜図４に示すように、ガイド部材３は、合成樹脂の成型品で形成されて、枠体１内でガイド壁２ｃの近傍に配置されており、このガイド部材３は、直立壁３ａと、この直立壁３ａから枠体１の奥方向に延び、挿入口２ｃに対向してディスクＤの挿入および排出が可能となるような開口部３ｂを設けた略筒状の突出壁３ｃを有し、この筒状の突出壁３ｃは、枠体１内に行くに従って開口部３ｂが狭くなっている。
【００３８】
また、ガイド部材３は、開口部３ｂの中央部に位置した状態で、突出壁３ｃの上壁に設けられた切り欠き部３ｄと、この切り欠き部３ｄの対向する辺に沿って、突出壁３ｃの上壁から直立状態に設けられた一対の支持部３ｅと、一方の支持部３ｅに垂直状態に設けられた一対の係止部３ｆを有する。
【００３９】
なお、このガイド部材３は、ノーズ部材２と一体に設けたり、また、ガイド部材３を無くして、ノーズ部材２のガイド壁２ｃを突出壁３ｃの分だけ長くすると共に、支持部３ｅをノーズ部材２に設けるようにしても良い。
【００４０】
ドア４は、摩擦係数の低いポリアセタール等の合成樹脂の成型品からなり、ガイド部材３に回転可能に取り付けられてディスクＤによって回転するようになっている。
【００４１】
このドア４は、回転支持部を形成する軸部４ａと、この軸部４ａから延びる板状のドア部４ｂと、このドア部４ｂの前面に設けられたガイド面（前面となる部分）４ｃと、ドア部４ｂの一部を形成し、軸部４ａから延びる平板状部４ｄと、ドア部４ｂの一部を形成し、平板状部４ｄの端部から曲げられて直線状に延びる曲げ部４ｅとを有する。
【００４２】
更に、このドア４は、曲げ部４ｅの端部である自由端に設けられた丸み部４ｆと、平板状部４ｄと曲げ部４ｅの外側に位置する境目に設けられた丸み部４ｇと、軸部４ａに繋がった状態で、軸部４ａと平行に突出する突片４ｈと、軸部４ａに設けられた勾玉状のカム部からなる操作体４ｊを有する。
【００４３】
このような構成を有するドア４は、ドア部４ｂの曲げ部４ｅの自由端側が挿入口２ｂ方向に向いた状態で、ドア部４ｂが切り欠き部３ｄから開口部３ｂ内の挿入されて、軸部３ａが一対の支持部３ｅの凹部内に抜け止めされた状態で回転可能にガイド部材３に取り付けられる。
【００４４】
そして、ガイド部材３に回転可能に取り付けられたドア４のドア部４ｂは、開口部３ｂ（挿入口２ｂ）の厚み方向（短手方向）に延びた状態で配置されると共に、ガイド面４ｃが挿入口２ｂに対向し、曲げ部４ｅの自由端が軸部４ａ（回転支持部）よりも挿入口２ｂ方向に突出した状態で、開口部３ｂ（挿入口２ｂ）の長手方向の中央部に配置される。
【００４５】
また、ドア部４ｂは、開口部３ｂ（挿入口２ｂ）の長手方向に対して長手方向全体ではなく、長手方向中央部に部分的に介在したもとなっている。更に、ドア４のドア部４ｂは、開口部３ｂ（挿入口２ｂ）の厚み方向（短手方向）に延びた閉状態と、開口部３ｂ（挿入口２ｂ）の厚み方向（短手方向）が開放される開状態になると共に、ドア部４ｂが閉状態にある時、ドア部４ｂの自由端と突出壁３ｃの下壁間は、ディスクＤの先端部が侵入できない隙間寸法に設定されている。
【００４６】
付勢部材５は、ピアノ線等の線材からなる捻りバネ等で形成され、ドア４を付勢するためのもので、この付勢部材５は、巻き回部５ａと、この巻き回部５ａの端部から略平行に延びる一対の腕部５ｂを有する。
【００４７】
この付勢部材５は、図４に示すように、巻き回部５ａが軸部４ａに挿入され、巻き回部５ａが軸部４ａから抜けないように適宜手段によって保持されると共に、一対の腕部５ｂで、突片４ｈと一対の係止部３ｆを挟み付けるように配置されて取り付けられている。
【００４８】
そして、ディスクＤの挿入時には、回転支持部を支点として突片４ｈが反時計方向に回転するが、この時、突片４ｈは、一方の係止部３ｆから離すように、付勢部材５の一方の腕部５ｂを引っかけて回転すると共に、他方の腕部５ｂは、他方の係止部３ｆに係止された状態が維持されるため、突片４ｈ（ドア４）の反時計方向の回転時にバネ力（付勢力）が作用する。
【００４９】
また、ディスクＤの排出時には、回転支持部を支点として突片４ｈが時計方向に回転するが、この時、突片４ｈは、他方の係止部３ｆから離すように、付勢部材５の他方の腕部５ｂを引っかけて回転すると共に、一方の腕部５ｂは、他方の係止部３ｆに係止された状態が維持されるため、突片４ｈ（ドア４）の時計方向の回転時にバネ力（付勢力）が作用する。
【００５０】
更に、ドア部４ｂが閉状態にある時は、突片４ｈの両側がバネ性のある一対の腕部５ｂによって挟持されて、突片４ｈ（ドア４）のガタツキが防止されるようになっている。また、ドア４を付勢する構成は、ピアノ線等で形成され、枠体１に取り付けられたトーションバネの付勢を受ける構成等、種々のもが適用できること勿論である。
【００５１】
検知部材６は、接点の切り換えが行われるプッシュスイッチ等のスイッチからなり、ドア４の回転によって操作されるもので、この検知部材６は、接点の切り換えを行う図示しない固定接点と可動接点を収納したケース６ａと、このケース６ａに保持されて、接点の切り換えを行うための可動体６ｂを有する。
【００５２】
この検知部材６は、操作体４ｊの近傍の位置でガイド部材３に取り付けられ、操作部６ｂがドア４の回転に伴う操作体４ｊの回転によって操作されて、接点の切り換えが行われるようになっている。
【００５３】
また、検知部材６は、自動車に組み込まれた際、自動車のバッテリー（図示せず）に電気的に接続されており、この検知部材６は、キーが挿されていない状態の時、ディスクＤを後述する駆動装置Ｋに引き込むためのローディング機構を起動するために使用される。
【００５４】
また、検知部材６の可動体６ｂは、操作体４ｊ以外のドア部４ｂ等の動きによって行うようにしても良く、更に、検知部材６は、ロータリスイッチや回転型エンコーダを用いて、軸部４ａの回転によって可動体が操作されるようにしても良い。
【００５５】
シャーシ７は、枠体１内に収納されて後述する駆動装置Ｋの外装となし、ディスクＤの挿入および排出が可能となるようにガイド部材３の開口部３ｂに対向して設けられた長孔７ａを有する。
【００５６】
駆動装置Ｋは、シャーシ７内に収納され、ディスクＤを搬送するためのローラ８と、図示しないＬＥＤ等からなるディスクＤ挿入を検知するためのフォトセンサや、ディスクＤを装着して、ディスクＤに信号を記録または記録された信号を読み出すためのディスクドライブ機構等を備えている。
【００５７】
この駆動装置Ｋは、自動車のキーが挿されていない状態において、ディスクＤの挿入時の回転するドア４を介して操作される検知部材６によって、ローディング機構が起動されて、ディスクＤがディスクドライブ機構まで移動するようになる。
【００５８】
そして、シャーシ７の長孔７ａから挿入されたディスクＤがフォトセンサによって検知されると、２個のローラ８間に位置したディスクＤがローラ８によって挟持されて駆動装置Ｋ内に搬入され、ディスクドライブ機構に装着されるようになる。
【００５９】
また、ディスクＤの排出に際しては、ディスクドライブ機構から取り外されたディスクＤがローラ８で再度、挟持されて搬送され、長孔７ａ、開口部３ｂを通ってドア４が外方に押されて、挿入口２ｂから排出されるようになる。
【００６０】
次に、本発明のディスク装置の第１実施例に係る動作を図１，図５〜図７に基づいて説明すると、図１に示すように、先ず、挿入口２ｂからディスクＤを挿入すると、ディスクＤの先端部がドア部４ｂの前面に位置するガイド面４ｃに当接する。
【００６１】
この時、ディスクＤの挿入状態によっては、図１に示すように、ディスクＤの先端部が曲げ部４ｅに当接したり、或いはここでは図示しないがディスクＤの先端部が平板状部４ｄに当接したりする。
【００６２】
そして、ディスクＤの挿入を続けると、付勢部材５のバネ力に抗して閉状態にあるドア部４ｂが軸部４ａを回転支点として後方に回転され、すると、操作体４ｊの回転によって検知部材６の可動体６ｂが操作（押圧）されて、接点の切り換え（ＯＦＦからＯＮ）が行われるようになり、これによって自動車のキーが挿されていない状態でも、駆動装置Ｋのローディング機構が起動して、ディスクＤの挿入が許容可能な状態となる。
【００６３】
また、挿入されたディスクＤの先端部は、ドア部４ｂの回転に伴うガイド面４ｃによって、曲げ部４ｅの根本部まで案内されて、その位置で位置決めされた状態となって移動すると共に、ディスクＤの挿入途上において、上下方向で不安定状態にあるディスクＤは、図５に示すように、ガイド壁２ｃの上壁に当接、ガイドされて移動したり、或いはここでは図示しないが、ガイド壁２ｃの下壁に当接、ガイドされて移動するようになる。
【００６４】
そして、ディスクＤの先端部は、枠体１内に行くに従って開口部３ｂが狭くなっているガイド部材３の突出壁３ｃによって位置規制されて、図５に示すように、シャーシ７の長孔７ａに対向した状態となる。
【００６５】
この時、図５に示すように、ドア４の回転は、ストッパー部Ｓによって停止されて、ドア４の回転角度が最大になるが、その間において、検知部材６の可動体６ｂは、ドア４に設けられた操作体４ｊによって押されて、接点の切り換え（ＯＦＦからＯＮ）が行われ、駆動装置Ｋのローディング機構が起動する。
【００６６】
この実施例では、図６に示すように、ドア部４ｂが閉状態から開状態（ストッパー部Ｓで回転停止される）になるまでのドア４の回転角度は、６０度程度と大きくでき、ドア４の回転角度が３０度を超えた時点で、検知部材６の接点の切り換え（ＯＦＦからＯＮ）が行われるようにしている。
【００６７】
また、図７のドア４の動きを軌跡で示す説明図に示すように、ドア部４ｂは、回転支持部（軸部４ａ）を支点とした自由端側の回転による移動量を少なくでき、これによって、ドア部４ｂの回転時における平板状部４ｄ側と曲げ部４ｅ側の移動量の差が小さくなって、ドア部４ｂの曲げ部４ｅ側は、平板状部４ｄ側（軸部４ａ側）と同様に、ディスクＤの挿入量（移動量）に対する回転角度を大きくできて、検知部材６を操作するための可動体６ｂのストロークを大きくできて、検知部材６の操作の確実なものが得られる。また、ディスクＤがガイド部材３の下方に寄って挿入された場合においても、ドア４が僅かしか回転しないまま、ディスクＤが丸み部４ｆとガイド部材３との隙間を通過してしまうことが無い。
【００６８】
そして、先に記述したように、ディスクＤの挿入状態によっては、ディスクＤの先端部が曲げ部４ｅに当接したり、或いはディスクＤの先端部が平板状部４ｄに当接したりするが、何れの状態でドア４がディスクＤによって回転されても、平板状部４ｄ側（軸部４ａ側）と曲げ部４ｅ側の双方は、ディスクＤの挿入量（移動量）に対する回転角度を大きくできる。
【００６９】
次に、ディスクＤの挿入を続けて、シャーシ７の長孔７ａにディスクＤが挿入されると、ディスクＤがセンサによって検知され、２個のローラ８間に位置したディスクＤがローラ８によって挟持されて、ディスクＤが搬送されるようになる。
【００７０】
そして、ディスクＤがディスクドライブ機構に装着されると、ローディング機構の駆動が停止されて、ディスクＤは、装着された状態が維持されると共に、ドア部４ｂは、ディスクＤからの押圧が開放され、付勢部材５のバネ力によって閉状態に戻り、また、その間において、検知部材６は、接点の切り換え（ＯＮからＯＦＦ）が行われて、元の状態に戻る。
【００７１】
このような構成を有する本発明のディスク装置が自動車に使用された際、自動車のエンジンが稼働中で電源がＯＮ時やＡＣＣ時において、ディスク装置である音響機器の電源がＯＮ時は、ディスクＤが挿入口２ｂから挿入されると、ドア４を介して検知部材６によって検知され、シャーシ７の長孔７ａに挿入されたディスクＤがセンサによって検知される。
【００７２】
そして、次に、ディスクＤがローラ８によって挟持されて、駆動装置Ｋ内のローディング機構に搬入され、ディスクＤがディスクドライブ機構に装着されて、ディスクＤは、駆動装置Ｋによって、記録または／及び再生が行われるようになる。
【００７３】
次に、ディスクＤの排出を行う場合は、音響機器の排出ボタンを押すと、ローディング機構がディスクＤの排出位置に駆動されて、図８に示すように、ディスクＤがローラ８で再度、挟持されて搬送され、長孔７ａ、開口部３ｂを通って挿入口２ｂから排出されるようになる。
【００７４】
図８に示すように、ディスクＤの排出途上において、ディスクＤの先端部は、ドア部４ｂの裏面（背面）に当接した状態で、付勢部材６のバネ力に抗してドア部４ｂを前方に回転し、ドア部４ｂの曲げ部４ｅの裏面がディスクＤの面に摺接するようになる。この時、平板状部４ｄと曲げ部４ｅの外側（裏面）に位置する境目に設けられた丸み部４ｇの存在によって、ディスクＤの面が損傷することが無く、また、ディスクＤが挿入口２ｂから抜かれると、ドア部４ｂは、ディスクＤからの押圧が開放され、付勢部材５のバネ力によって閉状態に戻るようになる。
【００７５】
また、本発明のディスク装置が自動車に使用された際、自動車のエンジンが稼働中で電源がＯＮ時やＡＣＣ時において、ディスク装置である音響機器の電源がＯＦＦ時においても、ディスクＤが挿入口２ｂから挿入されると、ドア４を介して検知部材６によって検知され、これによって、駆動装置Ｋのローディング機構が起動し、ディスクＤがローラ８によって挟持され搬送されて、ディスクドライブ機構に装着されるようになっている。
【００７６】
また、図９は本発明のディスク装置の第２実施例を示し、この第２実施例について説明すると、ドア部４ｂの曲げ部４ｅが平板状部４ｄの端部から曲げられて円弧状に延びたものであり、その他の構成は、上記第１実施例と同様の構成を有し、同一部品に同一番号を付し、ここではその説明を省略する。
【００７７】
この第２実施例における円弧状の曲げ部４ｅを設けた場合においても、前記第１の実施例と同様の動作を行って、同様の効果を有するものである。
【００７８】
また、図１０〜図１２は本発明のディスク装置の第３実施例を示し、この第３実施例に係るドア部の構成を図１０に基づいて説明すると、平板状部４ｄの端部から曲げられて直線状に延びる曲げ部４ｅは、自由端近傍の前面側に位置する第１の段差部４ｋと、裏面側に位置する第２の段差部４ｍを有する。
【００７９】
また、曲げ部４ｅの裏面には、第２の段差部４ｍよりも平板状部４ｄよりで、第２の段差部４ｄよりも裏面側での高さが高く、角部に丸みを持たせた第３の段差部４ｎが設けられており、その他の構成は、上記第１実施例と同様の構成を有し、同一部品に同一番号を付し、ここではその説明を省略する。
【００８０】
このような構成を有するドア４の製造方法は、図１１に示すように、曲げ部４ｅの自由端側を形成するための窪み部９ａを設けた第１の金型９と、ドア部４ｂの前面側を形成するための凹部１０ａを有し、第１の段差部４ｋを形成するために窪み部９ａに侵入した第２の金型１０と、第３の段差部４ｎを形成すると共にドア部４ｂの裏面側を形成するための凹部１１ａを有し、第２の段差部４ｍを形成するために窪み部９ａから外れた位置に配置される第３の金型１１を有する。
【００８１】
このれらの３つの割型からなる第１〜第３の金型９、１０，１１が図１１に示す状態に組み合わされて、図示しない湯口から合成樹脂の湯が窪み部９ａと凹部１０ａ、１１ａに注入されると、図１０に示すような第３実施例に係るドア部４ｂが製造されるようになっている。
【００８２】
このような３つの割型となった第１〜第３の金型９、１０，１１を使用することによって、複雑な形状を有したドア部４ｂの製造が容易にできると共に、その第１〜第３の金型９、１０，１１の加工も容易となるものである。
【００８３】
そして、第３実施例に係るドア部４ｂを有したドア４を使用した場合は、図１２に示すように、ディスクＤの排出時には、高さの低い第２の段差部４ｍがディスクＤの面に摺接することなく、曲げ部４ｅの自由端に設けられた丸み部４ｆと高さの高い丸みのある第３の段差部４ｎがディスクＤの面に摺接して、ディスクＤの面が損傷することが無くなる。
【００８４】
また、ディスクＤの挿入時には、ディスクＤの先端部が第１の段差部４ｋに当接するが、第１の段差部４ｋがディスクＤの面に摺接しない状態で、丸み部４ｆがディスクＤの面に摺接するようになっていて、ディスクＤの面が損傷することが無い。
【００８５】
また、図１３は本発明のディスク装置の第４実施例を示し、この第４実施例に係るドア部の構成を図１３に基づいて説明すると、曲げ部４ｅの自由端の先端部には、間隔を置いて配置され、丸み部４ｆのある幅の小さい凸部４ｐが設けられている。
【００８６】
そして、この凸部４ｐがディスクＤの搬送（挿入と排出）時にディスクＤの面に摺接することによって、曲げ部４ｅの先端部の凸部４ｐがディスクＤに部分的に線摺接して、その摺接面と摺動摩擦が小さく、ドア部４ｂによるディスクＤの面（レーベル面）の損傷を防止できるようにしたもので、その他の構成は、上記第１実施例と同様の構成を有し、同一部品に同一番号を付し、ここではその説明を省略する。
【００８７】
また、図１４は本発明のディスク装置の第５実施例を示し、この第５実施例に係るドア部の構成を図１４に基づいて説明すると、曲げ部４ｅの自由端の先端部には、間隔を置いて配置され、丸み部４ｆのある円弧状の凸部４ｐが設けられている。
【００８８】
そして、この凸部４ｐがディスクＤの搬送（挿入と排出）時にディスクＤの面に摺接することによって、曲げ部４ｅの先端部の凸部４ｐがディスクＤに部分的に線摺接して、その摺接面と摺動摩擦が小さく、ドア部４ｂによるディスクＤの面（レーベル面）の損傷を防止できるようにしたもので、その他の構成は、上記第１実施例と同様の構成を有し、同一部品に同一番号を付し、ここではその説明を省略する。
【００８９】
また、図１５は本発明のディスク装置の第６実施例を示し、この第６実施例に係るドア部の構成を図１５に基づいて説明すると、曲げ部４ｅの裏面には、挿入口２ｂの長手方向に間隔を置いて配置された頂部に丸みを持たせた凸条部４ｑが設けられている。
【００９０】
そして、この凸条部４ｑがディスクＤの排出時にディスクＤの面に摺接することによって、曲げ部４ｅの凸条部４ｑがディスクＤに部分的に線摺接して、その摺接面と摺動摩擦が小さく、ドア部４ｂによるディスクＤの面（レーベル面）の損傷を防止できるようにしたもので、その他の構成は、上記第１実施例と同様の構成を有し、同一部品に同一番号を付し、ここではその説明を省略する。
【図面の簡単な説明】
【００９１】
【図１】本発明のディスク装置の第１実施例に係る要部の断面図である。
【図２】本発明のディスク装置の第１実施例に係り、ガイド部材にドアを組み合わせた状態を示す裏面から見た斜視図である。
【図３】本発明のディスク装置の第１実施例に係り、ガイド部材とドアを分解した状態を示す分解斜視図である。
【図４】本発明のディスク装置の第１実施例に係り、ガイド部材にドアを取り付けた状態を示す要部の断面図である。
【図５】本発明のディスク装置の第１実施例に係り、ディスク型のディスクの挿入動作を示す説明図である。
【図６】本発明のディスク装置の第１実施例に係り、ディスク型のディスクの挿入動作時のドアの動きを示す説明図である。
【図７】本発明のディスク装置の第１実施例に係り、ドアの動きを軌跡で示す説明図である。
【図８】本発明のディスク装置の第１実施例に係り、ディスク型のディスクの排出動作を示す説明図である。
【図９】本発明のディスク装置の第２実施例に係る要部の断面図である。
【図１０】本発明のディスク装置の第３実施例に係るドア部の要部の側面図である。
【図１１】本発明のディスク装置の第３実施例に係り、ドアの製造方法を示す説明図である。
【図１２】本発明のディスク装置の第３実施例に係り、ディスク型のディスクの排出動作を示す説明図である。
【図１３】本発明のディスク装置の第４実施例に係るドアの正面図である。
【図１４】本発明のディスク装置の第５実施例に係るドアの正面図である。
【図１５】本発明のディスク装置の第６実施例に係るドア部の要部断面図である。
【符号の説明】
【００９２】
Ｄ  ディスク
１  枠体
２  ノーズ部材
２ａ  前面板
２ｂ  挿入口
２ｃ  ガイド壁
３  ガイド部材
３ａ  直立壁
３ｂ  開口部
３ｃ  突出壁
３ｄ  切り欠き部
３ｅ  支持部
３ｆ  係止部
４  ドア
４ａ  軸部
４ｂ  ドア部
４ｃ  ガイド面
４ｄ  平板状部
４ｅ  曲げ部
４ｆ  丸み部
４ｇ  丸み部
４ｈ  突片
４ｊ  操作体
４ｋ  第１の段差部
４ｍ  第２の段差部
４ｎ  第３の段差部
４ｐ  凸部
４ｑ  凸条部
５  付勢部材
５ａ  巻き回部
５ｂ  腕部
６  検知部材
６ａ  ケース
６ｂ  可動体
Ｋ  駆動装置
Ｓ  ストッパー部
７  シャーシ
７ａ  長孔
８  ローラ
９  第１の金型
９ａ  窪み部
１０  第２の金型
１０ａ  凹部
１１  第３の金型
１１ａ  凹部
【図１】
2007164834.tif 000003
【図２】
2007164834.tif 000004
【図３】
2007164834.tif 000005
【図４】
2007164834.tif 000006
【図５】
2007164834.tif 000007
【図６】
2007164834.tif 000008
【図７】
2007164834.tif 000009
【図８】
2007164834.tif 000010
【図９】
2007164834.tif 000011
【図１０】
2007164834.tif 000012
【図１１】
2007164834.tif 000013
【図１２】
2007164834.tif 000014
【図１３】
2007164834.tif 000015
【図１４】
2007164834.tif 000016
【図１５】
2007164834.tif 000017